(57)【特許請求の範囲】
【請求項１】
カフの加圧により被検者の生体動脈を圧迫した後、前記カフを徐々に減圧する過程で脈波信号を検出し、この検出された脈波信号に基づき血圧を求める血圧計付き内臓脂肪計であって、
被検者の個人データを入力する入力部と、この入力部より入力されるデータに基づき被検者の腹部内臓脂肪横断面積を演算する演算部と、この演算部による演算結果を表示する表示部を備え、前記カフの加圧目標値が、カフの加圧時における脈波に基づいて推定される収縮期血圧と、前記腹部内臓脂肪横断面積とから決定されることを特徴とする血圧計付き内臓脂肪計。
【請求項２】
カフの加圧により被検者の生体動脈を圧迫した後、前記カフを徐々に減圧する過程で脈波信号を検出し、この検出された脈波信号に基づき血圧を求める血圧計付き内臓脂肪計であって、
被検者の個人データを入力する入力部と、この入力部より入力されるデータに基づき被検者の腹部内臓脂肪横断面積を演算する演算部と、この演算部による演算結果を表示する表示部を備え、前記カフの加圧目標値が、カフの加圧時における脈波に基づいて推定される収縮期血圧と、肥満症の判定結果とから決定されることを特徴とする血圧計付き内臓脂肪計。
【請求項３】
前記入力部より入力される個人データは、被検者の身長、体重およびウエストサイズを含むデータであり、前記演算部は、この入力部より入力されるデータに基づき被検者の腹部内臓脂肪横断面積に加えて被検者のＢＭＩを演算するものである請求項１または２に記載の血圧計付き内臓脂肪計。
【発明の詳細な説明】
【０００１】
【発明の属する技術分野】
本発明は、血圧と内臓脂肪量とを同時に測定することのできる血圧計付き内臓脂肪計に関するものである。
【０００２】
【従来の技術】
近年、高血圧と各種疾病との関連については徐々に解明されつつあるが、所謂高血圧とされる、収縮期血圧１４０ｍｍＨｇ以上および拡張期血圧９０ｍｍＨｇ以上においては、特に脳出血、脳梗塞の発症頻度が高くなるとされている。このことから、高血圧に伴う疾病予防のための健康管理の重要性がより一層指摘されるようになってきており、この高血圧の的確な予防のために、血圧測定等の定期的な検査に加えて、血圧の状況を日常的に把握することが必要となってきている。
【０００３】
最近では、日常手軽に血圧測定を行うことのできる簡易血圧計が市場に出回っており、個人の血圧管理を継続的に、しかも簡単に行うことができるようになっている。この簡易血圧計としては、従来、医療分野等において用いられてきている聴診によるコロトコフ法によるものとは異なり、所謂オシロメトリック法（圧脈波振動法）に基づくものが主流となっている。このオシロメトリック法は、カフ（腕帯）を指、手首または腕に装着し、そのカフに空気を送って動脈を圧迫した後、徐々に減圧する過程で、圧力センサにより脈波成分を検出して、この成分に基づいて血圧（収縮期血圧および拡張期血圧）を測定する方法である。
【０００４】
このオシロメトリック法を用いた電子血圧計においては、カフの加圧目標値の設定に際して、例えばカフの加圧時にカフ圧信号を検出し、この信号に含まれる脈波の最大振幅値に基づき簡易的に収縮期血圧を推定し（例えば脈波の振幅が最大振幅の１／２に対応するカフ圧）、この推定された収縮期血圧に所定値を加算したものを加圧目標値に自動設定するようにされているものがある。また、この場合、血圧測定時間の短縮と被測定者への苦痛の軽減のために、カフ加圧時の圧力上昇速度は、収縮期血圧および拡張期血圧の測定を行うカフ減圧時の速度に比べて高く設定するようにされている。
【０００５】
ところで、医療分野においては最近、高血圧症と肥満との関係についての研究等が進んできており、単に肥満というのではなく、体脂肪の分布が血圧に関連していることがわかってきている。特に、腹部型体脂肪分布（内臓脂肪型肥満）と高血圧との関連性が強いとする報告がなされている。
【０００６】
また、従来、肥満度を表す指標として一般的に用いられているＢＭＩ（Ｂｏｄｙ  Ｍａｓｓ  Ｉｎｄｅｘ（体格指数）＝体重／（身長）２）に加えて、前記内臓脂肪型肥満を判定するための各種指標（体脂肪率、腹部内臓脂肪横断面積等）が考え出されており、これら指標のそれぞれが臨床現場において実証されてきている。このうち、体脂肪率は、被検者の身長、体重、年齢、性別等の個人特定データと生体インピーダンスの測定値とに基づいて求められるものであり、また腹部内臓脂肪横断面積は、被検者の腹部の臍付近のＣＴ横断面測定によるほか、腹部の臍付近のウエストサイズのデータおよび前記個人特定データ等に基づき推定演算によって求められるものである。
【０００７】
【発明が解決しようとする課題】
しかしながら、前記従来の血圧計においては、血圧値のみを測定してそれを管理するものであるために、前述の内臓脂肪型肥満との関連性を考慮した高血圧症のより的確な判断が行えないという問題点がある。
【０００８】
また、この種従来の血圧計では、カフの加圧目標値の設定に際して、加圧直後におけるカフ圧信号の変動等によりノイズの影響を受け易いために、加圧時における脈波の検出が必ずしも正確に行えずに、収縮期血圧の推定値が誤ったものとなり、これに基づいて設定される加圧目標値が不適切なものになるという問題点がある。特に加圧目標値が異常に低く設定されたような場合には、加圧不足により、後の減圧時に測定される血圧値（収縮期血圧値および拡張期血圧値）が不正確なものとなってしまう。
【０００９】
本発明は、前述のような問題点に鑑みてなされたもので、血圧値の管理とともに肥満の状況をも把握することができて、より正確で、かつ総合的、多角的な判断と予防とを行うことのできる血圧計付き内臓脂肪計を提供することを目的とし、更に、カフの加圧時における脈波の最大振幅値の測定が正確に行われなかった場合にも、後の減圧時に測定される血圧値が不正確になることのない血圧計付き内臓脂肪計を提供することを目的とするものである。
【００１０】
【課題を解決するための手段および作用・効果】
前記目的を達成するために、第１発明による血圧計付き内臓脂肪計は、
カフの加圧により被検者の生体動脈を圧迫した後、前記カフを徐々に減圧する過程で脈波信号を検出し、この検出された脈波信号に基づき血圧を求める血圧計付き内臓脂肪計であって、
被検者の個人データを入力する入力部と、この入力部より入力されるデータに基づき被検者の腹部内臓脂肪横断面積を演算する演算部と、この演算部による演算結果を表示する表示部を備え、前記カフの加圧目標値が、カフの加圧時における脈波に基づいて推定される収縮期血圧と、前記腹部内臓脂肪横断面積とから決定されることを特徴とするものである。
【００１１】
また、第２発明による血圧計付き内臓脂肪計は、
カフの加圧により被検者の生体動脈を圧迫した後、前記カフを徐々に減圧する過程で脈波信号を検出し、この検出された脈波信号に基づき血圧を求める血圧計付き内臓脂肪計であって、
被検者の個人データを入力する入力部と、この入力部より入力されるデータに基づき被検者の腹部内臓脂肪横断面積を演算する演算部と、この演算部による演算結果を表示する表示部を備え、前記カフの加圧目標値が、カフの加圧時における脈波に基づいて推定される収縮期血圧と、肥満症の判定結果とから決定されることを特徴とするものである。
【００１２】
前記第１発明または第２発明によれば、入力部より入力される個人データに基づき被検者の腹部内臓脂肪横断面積が演算部にて演算され、この演算結果が表示部に表示されるので、被検者は、血圧値の管理とともに腹部内臓脂肪横断面積、言い換えれば肥満の状況をも把握することができ、内臓脂肪型肥満と関連付けた血圧値の管理が行えることになる。したがって、従来の血圧値のみによる管理に比較して、簡易的な装置によって、より正確で、かつ総合的、多角的な判断と予防とを行うことができる。
【００１３】
また、カフの加圧時における脈波の最大振幅値の測定が正確に行えなかったような場合でも、加圧不足により、後の減圧時に測定される血圧値（収縮期血圧および拡張期血圧）が不正確なものになるといった不具合の発生を回避することができる。
【００１４】
前記各発明において、前記入力部より入力される個人データは、被検者の身長、体重およびウエストサイズを含むデータであり、前記演算部は、この入力部より入力されるデータに基づき被検者の腹部内臓脂肪横断面積に加えて被検者のＢＭＩを演算するものであるのが好ましい（第３発明）。このようにすれば、腹部内臓脂肪横断面積だけでなく、国際的に肥満もしくは痩せの判定の指標として用いられているＢＭＩ（体格指数）のデータも演算されるので、肥満の状況をより確実に把握することが可能となる。
【００２４】
【発明の実施の形態】
次に、本発明による血圧計付き内臓脂肪計の具体的な実施の形態について、図面を参照しつつ説明する。
【００２５】
図１には、本発明の第１の実施形態に係る血圧計付き内臓脂肪計の全体斜視図が示され、図２には、同血圧計付き内臓脂肪計のブロック図が示されている。
【００２６】
本実施形態の血圧計付き内臓脂肪計１は、所謂オシロメトリック法（圧脈波振動法）による血圧測定法を用いて血圧を測定するもので、機器本体２と、この機器本体２にエアチューブ３を介して接続されて被検者の腕に装着可能なカフ（腕帯）４を主たる構成要素としている。前記機器本体２内には、前記エアチューブ３に接続され、カフ４に空気を供給するポンプおよびカフ４の空気圧を排気する排気弁等よりなる空気供給装置５と、カフ４の空気圧を検出することにより脈波成分を検出する空気圧センサ６とが設けられ、これら空気供給装置５および空気圧センサ６がＩ／Ｏ回路７を介して中央処理部（演算部）８に接続されている。
【００２７】
また、前記機器本体２には、上面に、表示部９が配されるとともに、電源スイッチ１０、血圧測定開始スイッチ１１、インクリメント／ディクリメントキー１２、表示モード選択キー１３よりなる入力キー／スイッチ１４が配されている。さらに、前記中央処理部８には記憶部１５が付設され、前記入力キー／スイッチ１４により入力された個人データ等のデータがＩ／Ｏ回路７を介してその記憶部１５に記憶されるようになっている。なお、本実施形態におけるインクリメント／ディクリメントキー１２、表示モード選択キー１３が本発明における入力部に対応する。
【００２８】
次に、前述の構成よりなる血圧計付き内臓脂肪計１の動作を図３および図４に示されるフローチャートによって説明する。なお、記号Ｓはステップを示している。
【００２９】
Ｓ１：電源スイッチ１０をＯＮ操作して機器本体２を作動状態にする。
Ｓ２：表示モード選択キー１３とインクリメント／ディクリメントキー１２とを操作して、被検者の個人データ、言い換えれば身長、体重、性別、ウエストサイズ等のデータを選択入力する。こうして入力されたデータは記憶部１５に記憶される。
Ｓ３：記憶部１５に記憶された個人データに基づき、中央処理部８においてＢＭＩおよび腹部内臓脂肪横断面積（ＡＶ）の演算を行い、その演算結果を記憶部１５に記憶させる。ここで、これら演算に使用される演算式は予め記憶部１５に記憶されており、演算実行時にそれら演算式が中央処理部８に呼び出される。前記腹部内臓脂肪横断面積（ＡＶ）の演算式としては、最も簡易的なものとして、次式（１）にて示される回帰式が用いられる。
ＡＶ＝ａ１×ＷＬ＋ｄ１                              ……（１）
ここで、ＷＬはウエストサイズであり、係数ａ１および定数ｄ１は、集団のウエストサイズと腹部横断面Ｃ／Ｔデータとの相関に基づいて、回帰分析等の統計的手法により決定される。
【００３０】
Ｓ４：前記ステップＳ３にて演算されて記憶部１５に記憶されたＢＭＩおよび腹部内臓脂肪横断面積（ＡＶ）について、肥満症を判定するための基準値と比較判定されるとともに、肥満度のランク分けがされ、その結果が記憶部１５に記憶される。ここで、比較演算に用いられる基準値および比較演算式は記憶部１５に記憶されており、演算実行時にそれらが中央処理部８に呼び出される。また、前述の肥満症を判定するための基準値としては、ＢＭＩ＝２５（男女共）、腹部内臓脂肪横断面積（ＡＶ）＝１００ｃｍ２（男女共）が用いられる。なお、ＢＭＩは、国際的に肥満、痩せの判定の指標として用いられているものであり、また腹部内臓脂肪横断面積（ＡＶ）は、内臓脂肪の分布量を表し、肥満症の判定の指標として臨床の場で用いられているものである。これらＢＭＩおよびＡＶの各指標によって肥満度のランク分けが行えるようになっている。すなわち、ＢＭＩでは、２５〜３０の範囲をランクＩ、３０〜３５の範囲をランクＩＩ、３５以上をランクＩＩＩとしており、腹部内臓脂肪横断面積（ＡＶ）については、１００〜１２５ｃｍ２の範囲をランクＩ、１２５〜１５０ｃｍ２の範囲をランクＩＩ、１５０ｃｍ２以上をランクＩＩＩとしている。
【００３１】
Ｓ５：続いて、血圧測定のためにカフ４を被測定者の腕に装着する。
Ｓ６：血圧測定開始スイッチ１１を押して血圧測定を開始する。
Ｓ７：空気供給装置５によってカフ４へ空気が送り込まれてカフ４内の空気が加圧される。
Ｓ８：カフ４の加圧時のカフ圧を空気センサ６で検出し、カフ４の加圧過程における圧力信号に重畳される脈波を検出し、この脈波振幅の最大値Ａｍａｘ'を求めて記憶部１５に記憶する（図５参照）。
【００３２】
Ｓ９：脈波振幅の最大値Ａｍａｘ'から推定収縮期血圧Ｐ１'を得るために、例えば脈波の最大振幅値Ａｍａｘ'の１／αの振幅値Ａ１'，言い換えれば次式より得られる振幅値Ａ１'を求める。
Ａ１'＝１／α×Ａｍａｘ'                          ……（２）
Ｓ１０：次いで、ステップＳ９にて求められた振幅値Ａ１'に相当するカフ圧（推定収縮期血圧）Ｐ１'を求め、この値を記憶部１５に記憶する。
【００３３】
Ｓ１１：次に、カフの加圧目標値を決定するために、推定収縮期血圧Ｐ１'に基づき、この推定収縮期血圧Ｐ１'を所定値（ここでは、１００ｍｍＨｇ）と比較する。
Ｓ１２：推定収縮期血圧Ｐ１'が１００ｍｍＨｇ未満の場合には、測定および推定誤差が生じた場合の担保として、記憶されている肥満症の各指標（ＢＭＩおよびＡＶ）毎の判定結果に基づいて加圧目標値ＰＫを決定するために、各指標（ＢＭＩおよびＡＶ）がいずれも肥満症の判定値を越えているか否か、言い換えればＢＭＩ＞２５およびＡＶ＞１００ｃｍ２を満足しているか否かを判定する。
【００３４】
Ｓ１３：各指標（ＢＭＩおよびＡＶ）がいずれも肥満症の判定であれば、言い換えればＢＭＩ＞２５およびＡＶ＞１００ｃｍ２を満足している場合には、カフ圧の加圧目標値ＰＫを（３）式により決定する。
ＰＫ＝１４０ｍｍＨｇ＋２０×β                      ……（３）
ここで、βは、ステップＳ４にて設定された各指標毎の肥満度ランクＩ，ＩＩ，ＩＩＩに応じて表１にて決定される数値である。
【表１】
0004716586.tif 000002
このように加圧目標値ＰＫの決定要素に肥満症の判定結果を採り入れているので、加圧時における脈波の最大振幅値Ａｍａｘ'の測定が正確に行われなかったような場合でも、加圧不足により、後の減圧時に測定される血圧値（収縮期血圧および拡張期血圧）が不正確なものになるといった不具合が発生することがない。
【００３５】
Ｓ１４：ステップＳ１２における判定において、ＢＭＩとＡＶのうち少なくともいずれか一方の指標の判定が肥満症の判定とならなかった場合には、カフ圧の加圧目標値ＰＫを（４）式により決定する。
ＰＫ＝１４０ｍｍＨｇ                                ……（４）
このように、加圧時における脈波の最大振幅値Ａｍａｘ'の測定に基づいて推定収縮期血圧Ｐ１'が所定値（１００ｍｍＨｇ）と比較され、この所定値未満であり、かつ肥満症の判定において肥満症ではないとされた場合には、カフの加圧目標値ＰＫが許容できる最低の所定値（例えば１４０ｍｍＨｇ）に設定される。こうすることで、最大振幅値Ａｍａｘ'の測定および推定収縮期血圧Ｐ１'の推定誤差が生じた場合にも、最低限度の加圧目標値ＰＫが設定されるので、加圧不足により、後の減圧時に測定される血圧値（収縮期血圧および拡張期血圧）が不正確なものになるといった不具合が発生することがない。
【００３６】
Ｓ１５：ステップＳ１１の判定において、推定収縮期血圧Ｐ１'が１００ｍｍＨｇ以上の場合には、ステップＳ１２と同様にして、各指標（ＢＭＩおよびＡＶ）がいずれも肥満症の判定値を越えているか否か、言い換えればＢＭＩ＞２５およびＡＶ＞１００ｃｍ２を満足しているか否かを判定する。
Ｓ１６：ＢＭＩとＡＶのうち少なくともいずれか一方の指標の判定が肥満症の判定とならなかった場合には、カフ圧の加圧目標値ＰＫを（５）式により決定する。
ＰＫ＝Ｐ１'＋４０ｍｍＨｇ                          ……（５）
Ｓ１７：一方、各指標（ＢＭＩおよびＡＶ）がいずれも肥満症の判定であれば、言い換えればＢＭＩ＞２５およびＡＶ＞１００ｃｍ２を満足している場合には、カフ圧の加圧目標値ＰＫを（６）式により決定する。
ＰＫ＝Ｐ１'＋２０×β＋３０                        ……（６）
【００３７】
Ｓ１８：前述のようにしてカフ圧の加圧目標値ＰＫが決定されると、カフ圧がその加圧目標値ＰＫに達するまで加圧されて停止する。
Ｓ１９：次いで、加圧停止点に達したことが判定されると、空気供給装置５の弁が排気側に切り替わり、カフ４の微速減圧を開始する。
Ｓ２０：カフ４への減圧過程における圧力信号に重畳される脈波を検出し、この脈波の最大振幅値Ａｍａｘを求めて記憶する。次に、この脈波の最大振幅値Ａｍａｘから収縮期血圧Ｐ１を推定するために、例えば脈波の最大振幅値Ａｍａｘの１／αの振幅値Ａ１，言い換えれば次式より得られる振幅値Ａ１を求める。
Ａ１＝１／α×Ａｍａｘ                              ……（７）
次に、前記脈波の最大振幅値Ａｍａｘから拡張期血圧Ｐ２を推定するために、例えば脈波の最大振幅値Ａｍａｘの１／γの振幅値Ａ２、言い換えれば次式より得られる振幅値Ａ２を求める。
Ａ２＝１／γ×Ａｍａｘ                              ……（８）
なお、前記１／αの値としては０．５、また１／γの値としては０．７を用いることができる。また、これら１／α、１／γを用いるのではなく、更なる推定精度を向上させた推定式等を用いても良い。
【００３８】
Ｓ２１：収縮期血圧および拡張期血圧の測定が終了すると、急速減圧によりカフ４の排気を短時間で終わらせた後、カフ４の減圧を停止させる。
Ｓ２２：血圧測定が終了する。
Ｓ２３：測定終了後には、表示部９に、個人データ等（身長、体重、性別、年齢、ウエストサイズ）の入力データ、血圧測定値（収縮期血圧、拡張期血圧）、肥満症の判定に関する各指標（ＢＭＩおよび腹部内臓脂肪横断面積）と判定結果および肥満度（各指標毎のランク）についての選択表示を行う。
【００３９】
本実施形態の血圧計付き内臓脂肪計１においては、さらに、測定の度に、血圧測定値のデータ、ＢＭＩおよび腹部内臓脂肪横断面積のデータを記憶しておき、これら各データを前回測定時のデータとの変化量とともに表示するようにすることもできる。また、血圧測定値のデータおよび腹部内臓脂肪横断面積のデータの変化量の比率を求めて表示するようにすることもできる。このようにすれば、腹部の内臓脂肪の分布量と血圧値の各変化の程度と変化率の関係を知ることができるので、これらの値に基づいて健康状態をより正確に把握することができ、より適正な健康管理が行えることになる。また、計画的な血圧測定のスケジュールに基づいて前記各データの変化状況を記録することで、長期間の推移を監視するとともに、診断のための指針に役立てることも可能となる。
【００４０】
図６には、本発明の第２の実施形態に係る血圧計付き内臓脂肪計の全体斜視図が示され、図７には、同血圧計付き内臓脂肪計のブロック図が示されている。
【００４１】
本実施形態の血圧計付き内臓脂肪計１Ａは、第１の実施形態の血圧計付き内臓脂肪計１にさらに被検者の生体インピーダンスをも測定して体脂肪率も求めることができるようにしたものである。なお、本実施形態において、第１の実施形態と共通する部分には図に同一符号を付すに止めてその詳細な説明を省略することとする。
【００４２】
本実施形態の血圧計付き内臓脂肪計１Ａにおいては、機器本体２Ａの上部左右端部の表裏に、両手の指（例えば親指と人差し指）を接触させることができる電極１６，１６が設けられ、これら電極１６，１６を両手の指で挟持することにより、これら両手の指間の生体インピーダンスが生体インピーダンス測定回路１７にて測定され、その測定データがＩ／Ｏ回路７を介して中央処理部８に入力されるとともに記憶部１５に記憶され、この測定データに基づいて体脂肪率が演算できるようになっている。また、前記機器本体２Ａの上面には、第１の実施形態における各入力キー／スイッチに加えて、体脂肪率測定開始スイッチ１８が配されている。ここで、前記電極１６は、例えば機器本体２Ａの表側の計測用電極と、裏側の電流印加用電極とで構成される。なお、図６において符号１９にて示されるのは機器本体２Ａを立てるためのスタンドである。
【００４３】
次に、本実施形態における血圧計付き内臓脂肪計１Ａの動作について、図７および図８に示されるフローチャートによって説明する。なお、記号Ｔはステップを示している。
【００４４】
Ｔ１：電源スイッチ１０をＯＮ操作して機器本体２を作動状態にする。
Ｔ２：表示モード選択キー１３とインクリメント／ディクリメントキー１２とを操作して、被測定者の個人データ、言い換えれば身長、体重、性別、ウエストサイズ等のデータを選択入力する。こうして入力されたデータは記憶部１５に記憶される。
Ｔ３：体脂肪率測定開始スイッチ１８をＯＮ操作して体脂肪率の測定が開始できる状態にした後、両手の指を電極１６，１６に接触させてそれら両手の指間の生体インピーダンスを測定し、この測定データを記憶部１５に記憶させる。
【００４５】
Ｔ４：前記生体インピーダンスの測定データと記憶部１５に記憶された個人データとに基づき体脂肪率を演算し、その演算結果を記憶部１５に記憶させる。また、前記個人データに基づき中央処理部８においてＢＭＩの演算を行うとともに、個人データおよび生体インピーダンスまたは体脂肪率に基づき腹部内臓脂肪横断面積（ＡＶ）の演算を行い、その演算結果を記憶部１５に記憶させる。ここで、これら演算に使用される演算式は予め記憶部１５に記憶されており、演算実行時にそれら演算式が中央処理部８に呼び出される。前記腹部内臓脂肪横断面積（ＡＶ）の演算式としては、前記第１の実施形態における（１）式に生体インピーダンスの補正項を加えたものとして、次式（９）にて示される回帰式が用いられる。
ＡＶ＝ａ２×ＷＬ＋ｂ２×Ｚ＋ｄ２                    ……（９）
ここで、ＷＬはウエストサイズであり、係数ａ２，ｂ２および定数ｄ２は、集団のウエストサイズおよび生体インピーダンスと腹部横断面Ｃ／Ｔデータとの相関に基づいて、統計的手法により決定される。
【００４６】
この（９）式の回帰式のほか、体脂肪率（ＦＡＴ）を補正項として加えたものとして、次式（１０）に示される回帰式が用いられ得る。
ＡＶ＝ａ３×ＷＬ＋ｃ１×ＦＡＴ＋ｄ３                ……（１０）
なお、この場合も、係数ａ３，ｃ１および定数ｄ３は、集団のウエストサイズおよび体脂肪率と腹部横断面Ｃ／Ｔデータとの相関に基づいて、統計的手法により決定される。
【００４７】
さらに、前記Ｃ／Ｔデータに対してより高い相関係数（ｒ＝０．９以上）が得られる演算式として、次式（１１）を用いることもできる。
ＡＶ＝ｅ１×ＷＬ２×ＨＬ×ＦＡＴ＋ｆ１×ＷＬ２×ＨＬ×Ａｇｅ＋ｄ４……（１１）
ただし、ＨＬは身長、Ａｇｅは年齢を表す。なお、この場合、係数ｅ１，ｆ１および定数ｄ４は、集団のウエストサイズの二乗に身長および体脂肪率を乗じたものとウエストサイズの二乗に身長および年齢を乗じたものに対して、腹部横断面Ｃ／Ｔデータとの相関に基づいて、統計的手法により決定される。
また、次式（１２）を用いても良い。
ＡＶ＝ｆ２×ＷＬ２×ＨＬ×Ａｇｅ＋ｇ１×ＦＡＴ＋ｄ５  ……（１２）
なお、この場合、係数ｆ２，ｇ１および定数ｄ５は、集団のウエストサイズの二乗に身長年齢を乗じたものと体脂肪率に対して、腹部横断面Ｃ／Ｔデータとの相関に基づいて、統計的手法により決定される。
【００４８】
Ｔ５：前記ステップＴ４にて演算されて記憶部１５に記憶されたＢＭＩ、体脂肪率および腹部内臓脂肪横断面積（ＡＶ）について、肥満症を判定するための基準値と比較判定されるとともに、肥満度のランク分けがされ、その結果が記憶部１５に記憶される。ここで、比較演算に用いられる基準値および比較演算式は記憶部１５に記憶されており、演算実行時にそれらが中央処理部８に呼び出される。また、前述の肥満症を判定するための基準値としては、ＢＭＩ＝２５（男女共）、体脂肪率（男：２０％、女：３０％）、腹部内臓脂肪横断面積（ＡＶ）＝１００ｃｍ２（男女共）が用いられる。なお、ＢＭＩは、国際的に肥満、痩せの判定の指標として用いられているものであり、また腹部内臓脂肪横断面積（ＡＶ）は、内臓脂肪の分布量を表し、肥満症の判定の指標として臨床の場で用いられているものである。これらＢＭＩ、体脂肪率およびＡＶの各指標によって肥満度のランク分けが行えるようになっている。すなわち、ＢＭＩでは、２５〜３０の範囲をランクＩ、３０〜３５の範囲をランクＩＩ、３５以上をランクＩＩＩとしており、体脂肪率では、男の場合、２０〜２５％の範囲をランクＩ、２５〜３０％の範囲をランクＩＩ、３０％以上をランクＩＩＩとし、女の場合、３０〜３５％の範囲をランクＩ、３５〜４０％の範囲をランクＩＩ、４０％以上をランクＩＩＩとしている。また、腹部内臓脂肪横断面積（ＡＶ）については、１００〜１２５ｃｍ２の範囲をランクＩ、１２５〜１５０ｃｍ２の範囲をランクＩＩ、１５０ｃｍ２以上をランクＩＩＩとしている。
【００４９】
以下のステップＴ６〜Ｔ２４においては、ステップＴ１３，Ｔ１６における判定条件として、体脂肪率（ＦＡＴ）が男性の場合には２０％を越えているか否か、また女性の場合には３０％を越えているか否かの判断が加わる点が、第１の実施形態におけるステップＳ１２，Ｓ１５と異なり、またステップＴ２４における表示部９の表示内容のうち、肥満症の判定に関する各指標に体脂肪率が加わる点が、第１の実施形態におけるステップＳ２３と異なるだけで、これ以外の点については第１の実施形態におけるステップＳ５〜Ｓ２３と基本的に異なるところがない。したがって、各ステップの具体的内容についてはその詳細な説明を省略することとする。
【００５０】
前記各実施形態においては、被検者の腹部内臓脂肪横断面積を求めるのに、入力された被検者の個人データ（身長、体重、年齢、性別、ウエストサイズ等）に基づいて、予め記憶されている演算式によって演算するものとしたが、ウエストサイズのデータについては、被検者の身長、体重、年齢の各入力データから推定によって求めるようにしても良い。この推定式の一例としては次式（１３）がある。
ＷＬ＝ｍ１×Ｗ／ＨＬ２＋ｎ１×Ａｇｅ＋ｌ１          ……（１３）
ここで、Ｗ：体重、ＨＬ：身長、Ａｇｅ：年齢である。
【００５１】
さらに、この演算により求められたウエストサイズと被検者の個人データ（身長、体重、年齢、性別等）とに基づいて、前記各実施形態において用いられた演算式により被検者の腹部内臓脂肪横断面積を求めることもできる。このようにすれば、ウエストサイズの測定およびその入力の手間が省けるので、より簡便に内臓脂肪量を得ることができる。
【図面の簡単な説明】
【図１】図１は、本発明の第１の実施形態に係る血圧計付き内臓脂肪計の全体斜視図である。
【図２】図２は、第１の実施形態に係る血圧計付き内臓脂肪計のブロック図である。
【図３】図３は、第１の実施形態に係る血圧計付き内臓脂肪計の動作を示すフローチャート（前段）である。
【図４】図４は、第１の実施形態に係る血圧計付き内臓脂肪計の動作を示すフローチャート（後段）である。
【図５】図５（ａ）（ｂ）は、第１の実施形態における血圧の測定方法説明図である。
【図６】図６は、第２の実施形態に係る血圧計付き内臓脂肪計の全体斜視図である。
【図７】図７は、第２の実施形態に係る血圧計付き内臓脂肪計のブロック図である。
【図８】図８は、第２の実施形態に係る血圧計付き内臓脂肪計の動作を示すフローチャート（前段）である。
【図９】図９は、第２の実施形態に係る血圧計付き内臓脂肪計の動作を示すフローチャート（後段）である。
【符号の説明】
１，１Ａ            血圧計付き内臓脂肪計
２，２Ａ            機器本体
３                  エアチューブ
４                  カフ
５                  空気供給装置
６                  空気圧センサ
７                  Ｉ／Ｏ回路
８                  中央処理部
９                  表示部
１０                電源スイッチ
１１                血圧測定開始スイッチ
１２                インクリメント／ディクリメントキー
１３                表示モード選択キー
１４，１４Ａ        入力キー／スイッチ
１５                記憶部
１６                電極
１７                生体インピーダンス測定回路
１８                体脂肪率測定開始スイッチ
１９                スタンド
【図１】
0004716586.tif 000003
【図２】
0004716586.tif 000004
【図３】
0004716586.tif 000005
【図４】
0004716586.tif 000006
【図５】
0004716586.tif 000007
【図６】
0004716586.tif 000008
【図７】
0004716586.tif 000009
【図８】
0004716586.tif 000010
【図９】
0004716586.tif 000011